(57)【要約】  【課題】画像データをより高圧縮率で圧縮でき、かつ、圧縮に伴う画像の劣化を抑制できるカラー画像処理装置およびカラー画像データ圧縮方法を提供する。  【解決手段】画像抽出部５において、入力された画像データからモノクロ文字データ、カラー文字データおよび非文字データを抽出し、それぞれ、モノクロ文字画像記憶部９１、カラー文字画像記憶部９２および非文字画像記憶部９３に記憶させる。画像圧縮部７において、モノクロ文字データをＭＭＲ形式で圧縮し、カラー文字データをＧＩＦ形式で圧縮し、非文字データをＪＰＥＧ形式で圧縮する。【選択図】        図１
2005124066.tif 000002
【特許請求の範囲】
【請求項１】
画像データからモノクロ文字データを抽出するモノクロ文字データ抽出手段と、
画像データからカラー文字データを抽出するカラー文字データ抽出手段と、
モノクロ文字データおよびカラー文字データをそれぞれ異なる圧縮形式で圧縮する文字データ圧縮手段と
を含むことを特徴とするカラー画像処理装置。
【請求項２】
上記文字データ圧縮手段は、
モノクロ画像データを可逆圧縮するための圧縮形式でモノクロ文字データを圧縮するモノクロ文字データ圧縮手段と、
カラー画像データを可逆圧縮できる圧縮形式でカラー文字データを圧縮するカラー文字データ圧縮手段と
を含むことを特徴とする請求項１記載のカラー画像処理装置。
【請求項３】
画像データからモノクロ文字およびカラー文字のいずれでもない非文字データを抽出する非文字データ抽出手段と、
モノクロ文字データおよびカラー文字データの圧縮形式とは異なる圧縮形式で非文字データを圧縮する非文字データ圧縮手段と
を含むことを特徴とする請求項１または２記載のカラー画像処理装置。
【請求項４】
画像データからモノクロ文字データを抽出するモノクロ文字データ抽出工程と、
画像データからカラー文字データを抽出するカラー文字データ抽出工程と、
モノクロ文字データおよびカラー文字データをそれぞれ異なる圧縮形式で圧縮する文字データ圧縮工程と
を含むことを特徴とするカラー画像データ圧縮方法。
【発明の詳細な説明】
【技術分野】
【０００１】
この発明は、カラー画像データに対して所定の処理を施すためのカラー画像処理装置およびカラー画像データ圧縮方法に関する。
【背景技術】
【０００２】
デジタル複写機などの画像形成装置は、通常、原稿読取部で読み取った原稿の画像データを記憶しておくための画像記憶部を備えている。画像記憶部に記憶された画像データは、所定のタイミングで読み出され、その読み出された画像データに基づく画像（トナー像）が用紙に記録される。画像記憶部の容量は有限であるため、原稿の画像データをより高圧縮率で圧縮して画像記憶部に記憶させることにより、画像記憶部の使用量を抑制できるようになっていることが好ましい。
【０００３】
そこで、比較的高圧縮率でデータを圧縮可能な非可逆圧縮形式（たとえば、ＪＰＥＧ形式など）で画像データを圧縮して画像記憶部に記憶させることにより、画像記憶部の使用量を抑制することが考えられる。しかし、原稿によっては文字領域および写真領域などの複数種類の領域が含まれているものがあり、このような複数種類の領域を含む原稿の画像データを非可逆圧縮すると、その後の画像形成時などに画像が劣化して所望の出力物を得られない場合がある。特に、文字領域の画像データを非可逆圧縮した場合には、その後に画像データを拡大して出力したときに、出力された文字のエッジ部分が鋸歯状になる現象（いわゆるモスキートノイズ）が発生して画像が劣化しやすい。
【０００４】
そこで、従来から、文字領域の画像データとその他の領域の画像データとを異なる態様で圧縮して画像記憶部に記憶させる種々の手法が提案されている（たとえば、特許文献１〜３参照）。
【特許文献１】特開２０００−３０７８６７号公報
【特許文献２】特開２００３−２４４４４７号公報
【特許文献３】特開２００３−８９０９号公報
【発明の開示】
【発明が解決しようとする課題】
【０００５】
この発明は、かかる背景のもとでなされたもので、画像データをより高圧縮率で圧縮でき、かつ、圧縮に伴う画像の劣化を抑制できるカラー画像処理装置およびカラー画像データ圧縮方法を提供することを目的とする。
【課題を解決するための手段】
【０００６】
上記目的を達成するための請求項１記載の発明は、画像データからモノクロ文字データを抽出するモノクロ文字データ抽出手段（５，９，９１，Ｓ６）と、画像データからカラー文字データ（モノクロ文字以外の文字データ）を抽出するカラー文字データ抽出手段（５，９，９２，Ｓ５）と、モノクロ文字データおよびカラー文字データをそれぞれ異なる圧縮形式で圧縮（たとえば、可逆圧縮）する文字データ圧縮手段（７，Ｅ５，Ｐ５）とを含むことを特徴とするカラー画像処理装置（１）である。
【０００７】
なお、括弧内の英数字は、後述の実施形態における対応構成要素などを表す。以下、この項において同じ。
この構成によれば、モノクロ文字データとカラー文字データとを、それぞれの圧縮に適した異なる圧縮形式で圧縮することができる。すなわち、モノクロ画像データをより高圧縮率で圧縮でき、かつ、圧縮に伴う画像の劣化が少ない圧縮形式でモノクロ文字データを圧縮するとともに、カラー画像データをより高圧縮率で圧縮でき、かつ、圧縮に伴う画像の劣化が少ない圧縮形式でカラー文字データを圧縮することができる。したがって、全体として、画像データをより高圧縮率で圧縮でき、かつ、圧縮に伴う画像の劣化を抑制できる。
【０００８】
モノクロ文字データおよびカラー文字データに対して微分処理を施す微分処理手段（６，Ｅ２，Ｐ２）を含み、上記文字データ圧縮手段（７，Ｅ５，Ｐ５）は、微分処理後のモノクロ文字データおよびカラー文字データをそれぞれ異なる圧縮形式で圧縮するものであれば、モノクロ文字およびカラー文字の画像をより鮮明に出力できるので、圧縮に伴う画像の劣化をより効果的に抑制できる。
【０００９】
請求項２記載の発明は、上記文字データ圧縮手段（７，Ｅ５，Ｐ５）は、モノクロ画像データを可逆圧縮するための圧縮形式（ＭＭＲ形式、ＭＲ形式、ＪＢＩＧ形式など）でモノクロ文字データを圧縮するモノクロ文字データ圧縮手段（７，Ｅ５）と、カラー画像データを可逆圧縮できる圧縮形式（ＧＩＦ形式、ＰＮＧ形式など）でカラー文字データを圧縮するカラー文字データ圧縮手段（７，Ｐ５）とを含むことを特徴とする請求項１記載のカラー画像処理装置（１）である。
【００１０】
この構成によれば、モノクロ文字データを、モノクロ画像データを圧縮するための圧縮形式でより高圧縮率で圧縮できるとともに、モノクロ文字データおよびカラー文字データをそれぞれ可逆圧縮することにより、圧縮に伴う画像の劣化を抑制できる。
モノクロ文字データを２値化する２値化処理手段（６，Ｅ３）を含み、上記モノクロ文字データ圧縮手段（７，Ｅ５）は、２値画像データを可逆圧縮するための圧縮形式（ＭＭＲ形式、ＭＲ形式、ＪＢＩＧ形式など）で２値化処理後のモノクロ文字データを圧縮するものであってもよい。
【００１１】
また、カラー文字データにより表現可能な色数を減少させる減色処理手段（６，Ｐ３）を含み、上記カラー文字データ圧縮手段（７，Ｐ５）は、減色処理後のカラー文字データを圧縮するものであってもよい。
請求項３記載の発明は、画像データからモノクロ文字およびカラー文字のいずれでもない非文字データを抽出する非文字データ抽出手段（５，９，９３，Ｓ４）と、モノクロ文字データおよびカラー文字データの圧縮形式とは異なる圧縮形式（たとえば、ＪＰＥＧ形式などの非可逆圧縮形式）で非文字データを圧縮する非文字データ圧縮手段（７，Ｔ５）とを含むことを特徴とする請求項１または２記載のカラー画像処理装置（１）である。
【００１２】
この構成によれば、網点データや写真データなどの非文字データを、その圧縮に適した異なる圧縮形式（非可逆圧縮形式）で圧縮することができる。すなわち、非可逆圧縮に伴う画像の劣化が少ない非文字データを、非可逆圧縮形式でより高圧縮率で圧縮することができる。
非文字データから網点データを検出する網点データ検出手段（４，６，Ｔ２）と、網点データに対して積分処理を施す積分処理手段（６，Ｔ３）とを含み、上記非文字データ圧縮手段（７，Ｔ５）は、積分処理後の網点データと、網点以外の非文字データとを圧縮するものであれば、網点の画像を平滑化して出力できるので、出力された網点の画像に格子状の濃度むらが現れる現象（いわゆるブロック歪み）が生じるのを防止できる。したがって、圧縮に伴う画像の劣化をより効果的に抑制できる。
【００１３】
請求項４記載の発明は、画像データからモノクロ文字データを抽出するモノクロ文字データ抽出工程（Ｓ６）と、画像データからカラー文字データ（モノクロ文字以外の文字データ）を抽出するカラー文字データ抽出工程（Ｓ５）と、モノクロ文字データおよびカラー文字データをそれぞれ異なる圧縮形式で圧縮（たとえば、可逆圧縮）する文字データ圧縮工程（Ｅ５，Ｐ５）とを含むことを特徴とするカラー画像データ圧縮方法である。
【００１４】
この構成によれば、モノクロ文字データとカラー文字データとを、それぞれの圧縮に適した異なる圧縮形式で圧縮することができる。すなわち、モノクロ画像データをより高圧縮率で圧縮でき、かつ、圧縮に伴う画像の劣化が少ない圧縮形式でモノクロ文字データを圧縮するとともに、カラー画像データをより高圧縮率で圧縮でき、かつ、圧縮に伴う画像の劣化が少ない圧縮形式でカラー文字データを圧縮することができる。したがって、全体として、画像データをより高圧縮率で圧縮でき、かつ、圧縮に伴う画像の劣化を抑制できる。
【００１５】
モノクロ文字データおよびカラー文字データに対して微分処理を施す微分処理工程（Ｅ２，Ｐ２）を含み、上記文字データ圧縮工程（Ｅ５，Ｐ５）は、微分処理後のモノクロ文字データおよびカラー文字データをそれぞれ異なる圧縮形式で圧縮するものであれば、モノクロ文字およびカラー文字の画像をより鮮明に出力できるので、圧縮に伴う画像の劣化をより効果的に抑制できる。
【００１６】
上記文字データ圧縮工程（Ｅ５，Ｐ５）は、モノクロ画像データを可逆圧縮するための圧縮形式（ＭＭＲ形式、ＭＲ形式、ＪＢＩＧ形式など）でモノクロ文字データを圧縮するモノクロ文字データ圧縮工程（Ｅ５）と、カラー画像データを可逆圧縮できる圧縮形式（ＧＩＦ形式、ＰＮＧ形式など）でカラー文字データを圧縮するカラー文字データ圧縮工程（Ｐ５）とを含むものであれば、モノクロ文字データを、モノクロ画像データを圧縮するための圧縮形式でより高圧縮率で圧縮できるとともに、モノクロ文字データおよびカラー文字データをそれぞれ可逆圧縮することにより、圧縮に伴う画像の劣化を抑制できる。
【００１７】
モノクロ文字データを２値化する２値化処理工程（Ｅ３）を含み、上記モノクロ文字データ圧縮工程（Ｅ５）は、２値画像データを可逆圧縮するための圧縮形式（ＭＭＲ形式、ＭＲ形式、ＪＢＩＧ形式など）で２値化処理後のモノクロ文字データを圧縮するものであってもよい。
また、カラー文字データにより表現可能な色数を減少させる減色処理工程（Ｐ３）を含み、上記カラー文字データ圧縮工程（Ｐ５）は、減色処理後のカラー文字データを圧縮するものであってもよい。
【００１８】
画像データからモノクロ文字およびカラー文字のいずれでもない非文字データを抽出する非文字データ抽出工程（Ｓ４）と、モノクロ文字データおよびカラー文字データの圧縮形式とは異なる圧縮形式（たとえば、ＪＰＥＧ形式などの非可逆圧縮形式）で非文字データを圧縮する非文字データ圧縮工程（Ｔ５）とを含むものであれば、網点データや写真データなどの非文字データを、その圧縮に適した異なる圧縮形式（非可逆圧縮形式）で圧縮することができる。すなわち、非可逆圧縮に伴う画像の劣化が少ない非文字データを、非可逆圧縮形式でより高圧縮率で圧縮することができる。
【００１９】
非文字データから網点データを検出する網点データ検出工程（Ｔ２）と、網点データに対して積分処理を施す積分処理工程（Ｔ３）とを含み、上記非文字データ圧縮工程（Ｔ５）は、積分処理後の網点データと、網点以外の非文字データとを圧縮するものであれば、網点の画像を平滑化して出力できるので、出力された網点の画像に格子状の濃度むらが現れる現象（いわゆるブロック歪み）が生じるのを防止できる。したがって、圧縮に伴う画像の劣化をより効果的に抑制できる。
【発明を実施するための最良の形態】
【００２０】
以下には、図面を参照して、この発明の実施形態について具体的に説明する。
図１は、この発明の一実施形態に係る画像処理部１を備えたデジタルカラー複写機の概略構成を示すブロック図である。
図１を参照して、このデジタルカラー複写機は、スキャナ２で読み取った原稿のカラー画像データ（レッド（Ｒ）、グリーン（Ｇ）およびブルー（Ｂ）の各色につき多値（０〜２５５）の濃度値データ）に基づいて、画像形成部３でシアン（Ｃ）、マゼンタ（Ｍ）、イエロー（Ｙ）およびブラック（Ｂｋ）の各色トナーを用紙に対して重ね合わせることによって、いわゆる電子写真方式によりフルカラー画像を形成（出力）するものである。
【００２１】
画像形成部３の構成は、たとえば、感光体、メインチャージャ、現像装置および転写装置などを含む周知の構成である。すなわち、画像形成時には、略円筒状の感光体の表面がメインチャージャによって一様に帯電され、この感光体の表面に画像データに基づいて光が照射されることにより、感光体の表面にいわゆる静電潜像が形成される。静電潜像が形成された感光体の表面には、現像装置によりシアン（Ｃ）、マゼンタ（Ｍ）、イエロー（Ｙ）およびブラック（Ｂｋ）の各色トナーが選択的に付着され、トナー像が形成される。そして、感光体の表面に形成されたトナー像は、転写装置の働きによって用紙に転写される。
【００２２】
画像処理部１は、スキャナ２から入力された画像データに対して所定の画像処理を施すためのものである。画像処理部１は、たとえば、マイクロコンピュータを含む構成であって、このマイクロコンピュータがプログラム処理を実行することにより、領域分離部４、画像抽出部５、適応処理部６、画像圧縮部７および画像合成部８などを機能的に備えている。
【００２３】
領域分離部４は、スキャナ２から入力された画像データに基づいて、原稿画像を構成する複数の画素の中からモノクロ文字領域（モノクロの文字領域）の画素、カラー文字領域（モノクロ文字領域以外の文字領域）の画素および網点領域の画素を認定（分離）するものである。画像抽出部５は、領域分離部４による領域分離の結果に基づいて、入力された画像データからモノクロ文字領域の画像データ、カラー文字領域の画像データおよびその他の領域（網点領域を含む非文字領域）の画像データをそれぞれ抽出して、領域ごとの画像データを生成するためのものである。
【００２４】
画像処理部１には、画像データを領域ごとに記憶するための複数の記憶部（モノクロ文字領域に対応するモノクロ文字画像記憶部９１、カラー文字領域に対応するカラー文字画像記憶部９２および非文字領域に対応する非文字画像記憶部９３）を有する画像記憶部９が備えられている。モノクロ文字画像記憶部９１、カラー文字画像記憶部９２および非文字画像記憶部９３は、それぞれ、原稿画像の各画素の位置（画素位置）に対応する複数の記憶領域に各画素の画像データ（濃度値データ）を記憶することができるようになっていて、画像抽出部５で抽出された原稿画像の各領域の画像データは、その領域に対応する記憶部９１〜９３における、その画素位置に対応する記憶領域に記憶される。
【００２５】
画像記憶部９に記憶された原稿画像の各領域の画像データは、適応処理部６で所定の適応処理が施された後、画像圧縮部７で圧縮される。画像圧縮部７で圧縮された画像データは、所定のタイミングで読み出され、画像合成部８で合成された後、画像形成部３に与えられる。
図２は、画像抽出部５における処理の流れを示すフローチャートである。
【００２６】
図２を参照して、画像抽出部５では、入力された画像データに基づく画像（原稿画像）の各画素が順次注目画素に決定され（ステップＳ１）、領域分離部４による領域分離の結果に基づいて、その注目画素がモノクロ文字領域、カラー文字領域および非文字領域のいずれに属する画素であるかが判定される（ステップＳ２，Ｓ３）。
注目画素がモノクロ文字領域の画素でなく（ステップＳ２でＮＯ）、かつカラー文字領域の画素でもない場合（ステップＳ３でＮＯ）、すなわち非文字領域の画素である場合には、非文字画像記憶部９３のその画素位置に対応する記憶領域に当該注目画素の画像データが記憶されるとともに、モノクロ文字画像記憶部９１およびカラー文字画像記憶部９２のその画素に対応する記憶領域に「０」が記憶される（ステップＳ４）。
【００２７】
注目画素がモノクロ文字領域の画素でなく（ステップＳ２でＮＯ）、カラー文字領域の画素である場合には（ステップＳ３でＹＥＳ）、カラー文字画像記憶部９２のその画素位置に対応する記憶領域に当該注目画素の画像データが記憶されるとともに、モノクロ文字画像記憶部９１および非文字画像記憶部９３のその画素に対応する記憶領域に「０」が記憶される（ステップＳ５）。
【００２８】
注目画素がモノクロ文字領域の画素である場合には（ステップＳ２でＹＥＳ）、モノクロ文字画像記憶部９１のその画素位置に対応する記憶領域に当該注目画素の画像データが記憶されるとともに、カラー文字画像記憶部９２および非文字画像記憶部９３のその画素に対応する記憶領域に「０」が記憶される（ステップＳ６）。
このようにして、原稿画像を構成するすべての画素についてステップＳ１〜Ｓ６の処理が終了すると（ステップＳ７でＹＥＳ）、原稿画像に含まれる領域ごとの画像データ（モノクロ文字データ、カラー文字データおよび非文字データ）がモノクロ文字画像記憶部９１、カラー文字画像記憶部９２および非文字画像記憶部９３にそれぞれ記憶された状態となり、画像抽出部５における処理が終了する。
【００２９】
すなわち、モノクロ文字画像記憶部９１は、モノクロ文字領域の画素位置に対応する記憶領域にのみ画像データが記憶され、他の記憶領域には画像データが記憶されていない状態となる。カラー文字画像記憶部９２は、カラー文字領域の画素位置に対応する記憶領域にのみ画像データが記憶され、他の記憶領域には画像データが記憶されていない状態となる。非文字画像記憶部９３は、非文字領域の画素位置に対応する記憶領域にのみ画像データが記憶され、他の記憶領域には画像データが記憶されていない状態となる。
【００３０】
図３〜図５は、適応処理部６および画像圧縮部７における処理の流れを示すフローチャートである。図３は、非文字データに対する処理の流れを示しており、図４は、モノクロ文字データに対する処理の流れを示しており、図５は、カラー文字データに対する処理の流れを示している。
図３を参照して、非文字データに対しては、この非文字データに基づく画像（非文字画像）の各画素が順次注目画素に決定され（ステップＴ１）、領域分離部４による領域分離の結果に基づいて、その注目画素が網点領域に属する画素であるか否かが判定される（ステップＴ２）。そして、注目画素が網点領域に属する画素であれば（ステップＴ２でＹＥＳ）、注目画素および当該注目画素の周辺画素の画像データ（濃度値）に対して積分フィルタを用いた演算が行われることにより、積分処理が行われる（ステップＴ３）。一方、注目画素が網点領域に属する画素でなければ（ステップＴ２でＮＯ）、その注目画素および当該注目画素の周辺画素の画像データに対する積分処理は行われない。
【００３１】
このようにして、非文字画像を構成するすべての画素についてステップＴ１〜Ｔ３の処理が終了すると（ステップＴ４でＹＥＳ）、その処理後の非文字データが、比較的高圧縮率で圧縮可能な非可逆圧縮形式であるＪＰＥＧ（Joint Photographic Experts Group）形式で圧縮される（ステップＴ５）。ただし、非文字データの圧縮形式は、ＪＰＥＧ形式に限らず、たとえば、他の非可逆圧縮形式であってもよい。
【００３２】
この実施形態では、網点データや写真データなどの非文字データを、その圧縮に適した圧縮形式（非可逆圧縮形式）で圧縮することができる。すなわち、非可逆圧縮に伴う画像の劣化が少ない非文字データを、非可逆圧縮形式でより高圧縮率で圧縮することができる。
また、網点データに対して積分処理を施すことにより、網点の画像を平滑化して出力できるので、出力された網点の画像に格子状の濃度むらが現れる現象（いわゆるブロック歪み）が生じるのを防止できる。したがって、圧縮に伴う画像の劣化をより効果的に抑制できる。
【００３３】
図４を参照して、モノクロ文字データに対しては、このモノクロ文字データに基づく画像（モノクロ文字画像）の各画素が順次注目画素に決定され（ステップＥ１）、その注目画素および当該注目画素の周辺画素の画像データ（濃度値）に対して微分フィルタを用いた演算が行われることにより、微分処理が行われる（ステップＥ２）。そして、微分処理後の注目画素の画像データに対して２値化処理が施される（ステップＥ３）。
【００３４】
このようにして、モノクロ文字画像を構成するすべての画素についてステップＥ１〜Ｅ３の処理が終了すると（ステップＥ４でＹＥＳ）、その処理後のモノクロ文字データが、モノクロ画像データ（特に、２値画像データ）を可逆圧縮するための圧縮形式であるＭＭＲ（Modified MR(Modified Relative edge address designate)）形式で圧縮される（ステップＥ５）。ただし、モノクロ文字データの圧縮形式は、ＭＭＲ形式に限らず、たとえば、ＭＲ(Modified Relative edge address designate)形式やＪＢＩＧ（Joint Bi-lebel Image experts Group）形式などの他の可逆圧縮形式であってもよい。
【００３５】
図５を参照して、カラー文字データに対しては、このカラー文字データに基づく画像（カラー文字画像）の各画素が順次注目画素に決定され（ステップＰ１）、その注目画素および当該注目画素の周辺画素の画像データ（濃度値）に対して微分フィルタを用いた演算が行われることにより、微分処理が行われる（ステップＰ２）。そして、微分処理後の注目画素の画像データに対して、当該画像データにより表現可能な色数を（たとえば、１６，７７７，２１６色から１２８色に）減少させる減色処理が施される（ステップＰ３）。
【００３６】
このようにして、カラー文字画像を構成するすべての画素についてステップＰ１〜Ｐ３の処理が終了すると（ステップＰ４でＹＥＳ）、その処理後のカラー文字データが、カラー画像データを可逆圧縮できる圧縮形式であるＧＩＦ（Graphics Interchange Format）形式で圧縮される（ステップＰ５）。ただし、カラー文字データの圧縮形式は、ＧＩＦ形式に限らず、たとえば、ＰＮＧ（Portable Network Graphics）形式などの他の可逆圧縮形式であってもよい。
【００３７】
この実施形態では、モノクロ文字データを、モノクロ画像データ（特に、２値化画像データ）を圧縮するための圧縮形式でより高圧縮率で圧縮できるとともに、モノクロ文字データおよびカラー文字データをそれぞれ可逆圧縮することにより、圧縮に伴う画像の劣化を抑制できる。
また、モノクロ文字データおよびカラー文字データに対して微分処理を施すことにより、モノクロ文字およびカラー文字の画像をより鮮明に出力できるので、圧縮に伴う画像の劣化をより効果的に抑制できる。
【００３８】
この発明は、以上の実施形態の内容に限定されるものではなく、請求項記載の範囲内において種々の変更が可能である。
たとえば、モノクロ文字データに対する２値化処理（図４のステップＥ３）を省略し、モノクロ文字データを、モノクロ画像を可逆圧縮するための圧縮形式で圧縮するような構成であってもよい。
【００３９】
この発明の一実施形態としてデジタルカラー複写機を例にとって説明したが、この発明は、デジタルカラー複写機に限らず、ファクシミリなどの他の画像形成装置や、スキャナ装置などの画像読取装置にも適用可能である。
さらに、画像処理部１が画像形成装置等に備えられたような構成に限らず、画像処理装置（画像圧縮装置）が画像形成装置等とは別個に構成されていてもよい。
【図面の簡単な説明】
【００４０】
【図１】この発明の一実施形態に係る画像処理部を備えたデジタルカラー複写機の概略構成を示すブロック図である。
【図２】画像抽出部における処理の流れを示すフローチャートである。
【図３】適応処理部および画像圧縮部における処理の流れを示すフローチャートであって、非文字データに対する処理の流れを示している。
【図４】適応処理部および画像圧縮部における処理の流れを示すフローチャートであって、モノクロ文字データに対する処理の流れを示している。
【図５】適応処理部および画像圧縮部における処理の流れを示すフローチャートであって、カラー文字データに対する処理の流れを示している。
【符号の説明】
【００４１】
１  画像処理部
４  領域分離部
５  画像抽出部
６  適応処理部
７  画像圧縮部
９  画像記憶部
９１  モノクロ文字画像記憶部
９２  カラー文字画像記憶部
９３  非文字画像記憶部
【図１】
2005124066.tif 000003
【図２】
2005124066.tif 000004
【図３】
2005124066.tif 000005
【図４】
2005124066.tif 000006
【図５】
2005124066.tif 000007